(57)【要約】【課題】固体撮像素子と信号処理用ＩＣ等の電子部品を積層させる方法では、光軸方向の薄型化が妨げられる。【解決手段】配線基板に固体撮像素子と電子部品とを実装し、配線基板を鏡筒の側面に沿って折り曲げ、配線基板に実装された電子部品を鏡筒の光学部材支持部の周辺に対向して配設する。【選択図】図１
2008005325.tif 000002
【特許請求の範囲】
【請求項１】
少なくとも可撓性を有する配線基板と、
該配線基板に実装された固体撮像素子と、
該固体撮像素子に被写体像を形成する光学部材と、
該光学部材を支持する光学部材支持部と、前記配線基板に接着固定される矩形脚部とが一体成形された鏡筒と、
で固体撮像装置を構成し、
前記配線基板に、電子部品を実装し、
前記配線基板を前記鏡筒の側面に沿って折り曲げ、
前記配線基板に実装された前記電子部品を前記鏡筒の光学部材支持部の周辺に対向して配設したことを特徴とする固体撮像装置。
【請求項２】
前記光学部材支持部の側面には、前記電子部品と対応する平坦面が少なくとも１つ以上設けられていることを特徴とする請求項１記載の固体撮像装置。
【請求項３】
前記鏡筒の側面に突起部を設け、
前記配線基板に穴部を設け、前記突起部と該穴部を係合し、該配線基板を位置決めすることを特徴とする請求項１または２記載の固体撮像装置。
【請求項４】
前記鏡筒の前記光学部材支持部の側面に設けられた平担面には、前記配線基板に実装された前記電子部品を収容する凹部が設けられていることを特徴とする請求項２または３記載の固体撮像装置。
【請求項５】
前記鏡筒の矩形脚部に、光軸方向に伸びるリブを複数設け、前記リブで前記配線基板を所望の配置状態に案内することを特徴とする請求項１ないし４のいずれか一項に記載の固体撮像装置。
【発明の詳細な説明】
【技術分野】
【０００１】
本発明は、ＣＣＤやＣＭＯＳ等を用いた固体撮像装置に関するものである。
【背景技術】
【０００２】
近年、携帯情報端末の小型化・薄型化が進み、内蔵される固体撮像装置に対しても、小型化・薄型化が求められている。
【０００３】
固体撮像装置に用いられる信号処理用ＩＣ等の電子部品の配設に関しても、様々な手法が提案され、小型化・薄型化が図られている。
【０００４】
図５は従来技術によるフレキシブルプリント基板をレンズ鏡筒内に収納した状態を示す断面図である。
レンズ鏡筒の内壁面に沿って多角形の環状に折り曲げた状態でレンズ鏡筒内に収納するフレキシブルプリント基板２０１は、電気部品２１６ａ〜２１６ｇが実装された平面部２２２ａ〜２２２ｆと、隣接する平面部２２２ａ〜２２２ｆの間を接続する帯状に形成された接続部２２１とを有して構成されている。レンズ鏡筒２０３内に収納する際には、台座２０２の外周部に沿って台座の平面部２０２ａに基板の平面部２２２ａ〜２２２ｆを、台座の凹面部２０２ｂに基板の接続部２２１を各々配置してレンズ鏡筒２０３と台座２０２間の空間に収納する。このとき、レンズ鏡筒２０３の径に応じて接続部２２１を折り畳んだ重畳部２２７の量を調節することにより、平面部２２２ａ〜２２２ｆの間隔を調節する。レンズの構成や光束径が異なる様々なレンズ鏡筒に共通して用いることができ、かつ収納時に必要以上に大型化することなく収納するレンズ鏡筒の外径を最小限にすることが可能なフレキシブル基板を提供できるものである。（特許文献１参照）
【０００５】
図６は従来技術による撮像装置の構成断面図であり、開口部を封止部材により封止した状態を示す。
撮像素子３０１及び周辺回路素子３２７が設けられた基板３０３を折り曲げて撮像素子３０１と周辺回路素子とが上下に重なり合うようにし、これら撮像素子３０１及び周辺回路素子が支持部材３１１の開口部３１２内に収まるようにするものである。尚、周辺回路素子３２７とは、例えば撮像素子３０１から出力される信号をもとに、撮像状態を最適化するための画像信号処理ＩＣなどである。
３２７は撮像素子３０１と上下に重なり合った周辺回路素子、３２８は撮像素子３０１と周辺回路素子３２７とが上下に重なり合うように支持部材３１１の開口部３１２内において折り曲げられたフィルム状の回路基板（以下、単に基板という）、３２９は撮像素子３０１、周辺回路素子３２７及び基板３２８を収容した支持部材３１１の開口部３１２を封止する封止部材である。この実施の形態による撮像装置によれば、基板３２８を折り曲げて撮像素子３０１及び周辺回路素子３２７を支持部材３１１の開口部３１２内に収容するので、他の部分、例えば、支持部材３１１の開口部３１２から外部に引き出された基板３２８上の領域、あるいは、撮像装置とは別体として、撮像装置が搭載される機器の本体側基板上に配置する必要がなくなるので、撮像装置としての構成を小型化、簡素化することができる。また、封止部材３２９によって撮像素子３０１、周辺回路素子３２７及び基板３２８を収容した支持部材３１１の開口部３１２を封止するので、吸湿等に対する信頼性を向上すると共に、外力等による撮像素子、及び周辺回路素子の破壊を防ぐことができるというものである。その他の符号は説明を省略するが、３０２は撮像素子３０１の撮像面、３０５撮像素子３０１を囲繞する枠体、３０７は撮像レンズ、３０８は鏡筒、３０９は脚部、３１０は支持部、３１４ａは螺合手段、３１４ｂはガイド部、３１５は穴、３２４は封止部材である。（特許文献２参照）
【０００６】
【特許文献１】特開平７−２８３５６３合公報
【特許文献２】特開２００２−３００４４０号公報
【発明の開示】
【発明が解決しようとする課題】
【０００７】
小型の固体撮像装置では、レンズ鏡筒などの筒状の筐体内部にフレキシブルプリント基板を配置することは困難である。このような構成では、フレキシブルプリント基板の他に、固体撮像素子を実装する配線基板が必要となり、部品点数が増加し、コストアップの要因となる。
【０００８】
また、同一の配線基板に固体撮像素子と信号処理ＩＣを実装した固体撮像装置が開示されているが、固体撮像素子と信号処理用ＩＣ等の電子部品を積層させる方法では、光軸方向の薄型化の妨げとなる。
【課題を解決するための手段】
【０００９】
少なくとも可撓性を有する配線基板と、
該配線基板に実装された固体撮像素子と、
該固体撮像素子に被写体像を形成する光学部材と、
該光学部材を支持する光学部材支持部と、前記配線基板に接着固定される矩形脚部とが一体成形された鏡筒と、
で固体撮像装置を構成し、
前記配線基板に、電子部品を実装し、
前記配線基板を前記鏡筒の側面に沿って折り曲げ、
前記配線基板に実装された前記電子部品を前記鏡筒の光学部材支持部の周辺に対向して配設した固体撮像装置とする。
【００１０】
また、光学部材支持部の側面に、電子部品と対応する平担面を少なくとも１つ以上設けた固体撮像装置とする。
【００１１】
鏡筒の側面に突起部を設け、
配線基板に穴部を設け、前記突起部と該穴部を係合し、該配線基板を位置決めする固体撮像装置とする。
【００１２】
鏡筒の前記光学部材支持部の側面に設けられた平担面には、配線基板に実装された電子部品を収容する凹部が設けられている固体撮像装置とする。
【００１３】
鏡筒の矩形脚部に、光軸方向に伸びるリブを複数設け、前記リブで配線基板を所望の配置状態に案内する固体撮像装置とする。
【発明の効果】
【００１４】
鏡筒の光学部材支持部の周辺に、固体撮像素子を実装した配線基板に実装された電子部品を配設する事で、薄型化された撮像装置を得られる。
【００１５】
また、光学部材支持部の側面に、電子部品と対応する平坦面を設けることで、電子部品を安定的に配置することが可能となる。
【００１６】
鏡筒側面に突起部を設け、配線基板の穴部と突起部を係合するとこで、配線基板の位置決めを容易に行うことが出来る。
【００１７】
鏡筒の矩形脚部にリブを設け、配線基板を折り曲げる際の案内手段とし、作業性が向上する。
【発明を実施するための最良の形態】
【００１８】
以下、図面に基づき本発明の実施形態を説明する。
図１は本発明による固体撮像装置の斜視図であり、図２は本発明による固体撮像装置の分解斜視図である。
図３は本発明によるリブ、及び突起部による配線基板の案内手段、位置決め手段を説明するための斜視図であり、図４は本発明による平坦面に設けた凹部に電子部品を収納した状態を説明するための拡大図。
【００１９】
可撓性を有する配線基板４に、信号処理用ＩＣやコンデンサ等の電子部品５を実装する。配線基板４に固体撮像素子２を実装する。固体撮像素子２と配線基板４とは、金属ワイヤーやバンプ金属等を介して電気的に接続する。
【００２０】
配線基板４に、固体撮像素子２の受光領域に対応して、光学部材支持部３ａ、および矩形脚部３ｂを有する鏡筒３を搭載する。
【００２１】
矩形脚部３ｂより突出し、電子部品５が実装された配線基板４の折り曲げ部４ａを、鏡筒３の側面に沿って、折り曲げる。配線基板４の電子部品実装領域４ｂを、光学部材支持部３ａの周辺に配設する。
【００２２】
電子部品５は、光学部材支持部３ｂの側面に位置するように配線基板４に実装されている。
【００２３】
平坦面７は、配線基板４に実装された電子部品５と対応するよう光学部材支持部３ａの側面に形成されている。電子部品５の点数や大きさに応じて、平坦面７は１つ以上形成されている。
【００２４】
鏡筒３の光学部材支持部３ａに、レンズ等の光学部材６を組込み、固体撮像素子２と光学部材６との位置調整を行う。
【００２５】
図３に示すように、矩形脚部３ｂに光軸方向に伸びるリブ９を設け、配線基板４の案内手段とする。
【００２６】
また、光学部材支持部３ｂの側面に突起部１０を設け、配線基板４に突起部１０と係合する穴部１１を設け、位置決め手段とする。
【００２７】
図４に示すように、光学部材支持部３ａの側面の平坦面７に凹部８を形成し、配線基板４の光学部材支持部側の面に実装された電子部品５を収容する。
【００２８】
光学部材支持部３ａの側面に配設された配線基板４は、好ましくは両面接着テープや接着剤などの接着部材１２で光学部材支持部３ａの側面に固着する。
【図面の簡単な説明】
【００２９】
【図１】本発明による固体撮像装置の斜視図
【図２】本発明による固体撮像装置の分解斜視図
【図３】本発明によるリブ、及び突起部による配線基板の案内手段、位置決め手段を説明するための斜視図
【図４】本発明による平坦面に設けた凹部に電子部品を収納した状態を説明するための拡大図
【図５】従来技術によるフレキシブルプリント基板をレンズ鏡筒内に収納した状態を示す断面図
【図６】従来技術による撮像装置の構成断面図
【符号の説明】
【００３０】
１      固体撮像装置
２      固体撮像素子
３      鏡筒
３ａ    光学部材支持部
３ｂ    矩形脚部
４      配線基板
４ａ    折り曲げ部
４ｂ    電子部品実装領域
５      電気部品
６      光学部材
７      平坦面
８      凹部
９      リブ
１０    突起部
１１    穴部
１２    接着部材
１３    カバー部材
【図１】
2008005325.tif 000003
【図２】
2008005325.tif 000004
【図３】
2008005325.tif 000005
【図４】
2008005325.tif 000006
【図５】
2008005325.tif 000007
【図６】
2008005325.tif 000008